(57)【要約】      （修正有）【課題】折りたたみ携帯電話の表面デザインを容易かつ簡便に取り替えることのできる携帯電話カバーを提供する。【解決手段】携帯電話カバーは、携帯電話表面外形に沿った形状に構成し、画像を表面に表示したシートと、該シート上面に配置し該シートを保護する透明カバーと、該シート及び該透明カバーを一体に携帯電話に固定する固定手段とを有する。【選択図】図１
0003127674.tif 000002
【実用新案登録請求の範囲】
【請求項１】
携帯電話表面外形に沿った形状に構成し、画像を表面に表示したシートと、該シート上面に配置し該シートを保護する透明カバーと、該シート及び該透明カバーを一体に携帯電話に固定する固定手段とを有することを特徴とする携帯電話着せ替えカバー。
【請求項２】
携帯電話表面外形に沿った形状に構成し、絵・模様・写真等の画像を表面に表示したシートと、該シート上面に配置し該シートを保護する透明カバーと、該シート及び該透明カバーをー体に携帯電話に固定する固定手段とを有することを特徴とする携帯電話着せ替えカバー。
【請求項３】
携帯電話表面外形に沿った形状に構成し、絵・模様・写真等の画像を表面に表示したシートと、該シート上面に配置し該シートを保護する透明カバーと、該シート及び該透明カバーをー体に携帯電話に固定する固定手段とを有する携帯電話着せ替えカバーであって、該透明カバーには複数の貫通孔を設け、該貫通孔を通して複数の止めネジにより携帯電話本体に固定するように構成したことを特徴とする携帯電話着せ替えカバー。
【請求項４】
携帯電話表面外形に沿った形状に構成し、絵・模様・写真等の画像を表面に表示したシートと、該シート上面に配置し該シートを保護する透明カバーと、該シート及び該透明カバーをー体に携帯電話に固定する固定手段とを有する携帯電話着せ替えカバーであって、該シートは表面に形成したレンティキュラーレンズと裏面に印刷した画像とからなることを特徴とする携帯電話着せ替えカバー。
【請求項５】
携帯電話表面外形に沿った形状に構成し、絵・模様・写真等の画像を表面に表示したシートと、該シート上面に配置し該シートを保護する透明カバーと、該シート及び該透明カバーを一体に携帯電話に固定する固定手段とを有する携帯電話着せ替えカバーであって、該シートは表面に形成したレンティキュラーレンズと裏面に印刷した複数の画像とからなり、該透明カバーには複数の貫通孔を設け、該貫通孔を通して複数の止めネジにより携帯電話本体に固定するように構成したことを特徴とする携帯電話着せ替えカバー。
【考案の詳細な説明】
【技術分野】
【０００１】  本考案は携帯電話用着せ替えカバーに関し、より詳しくは画像を容易に取替えできる携帯電話用着せ替えカバーに関する。
【背景技術】
【０００２】  現代社会においては、携帯電話は人々の必需品となっているが、使用者のニーズが多様化するに連れて、自分の携帯電話を差別化したいという欲求が高まっている。これまで、棒状の携帯電話においてはデザインを変更する構造がいくつか提案されているが、最近では折りたたみ携帯電話が主流となっている。【０００３】
【特許文献１】特開２００５−９４５３３号公報
【０００４】  上記特許文献１では、折りたたみ携帯電話の着せ替え構造として、携帯電話を閉じた際の表裏両面に着脱可能な外面パネルを装着することが提案されている。しかし、表裏両面を取り替えることは手間がかかり、また、外面パネルはデザインが一体化されているため、違ったデザインに変更しようとするたびに新しい外面パネルを購入しなければならないという問題点がある。
【考案の開示】
【考案が解決しようとする課題】
【０００５】  本考案は、上記のような従来の問題点に鑑みてなされたものであり、折りたたみ携帯電話の表面デザインを容易かつ簡便に取り替えることのできる携帯電話カバーを提供することを課題とする。
【課題を解決するための手段】
【０００６】  上記課題を解決するため、本考案の請求項１記載の携帯電話カバーは、携帯電話表面外形に沿った形状に構成し、画像を表面に表示したシートと、該シート上面に配置し該シートを保護する透明カバーと、該シート及び該透明カバーを一体に携帯電話に固定する固定手段とを有することを特徴とする。【０００７】  また、本考案の請求項２記載の携帯電話カバーは、携帯電話表面外形に沿った形状に構成し、絵・模様・写真等の画像を表面に表示したシートと、該シート上面に配置し該シートを保護する透明カバーと、該シート及び該透明カバーを一体に携帯電話に固定する固定手段とを有することを特徴とする。【０００８】  さらに、本考案の請求項３記載の携帯電話カバーは、携帯電話表面外形に沿った形状に構成し、絵・模様・写真等の画像を表面に表示したシートと、該シート上面に配置し該シートを保護する透明カバーと、該シート及び該透明カバーを一体に携帯電話に固定する固定手段とを有する携帯電話着せ替えカバーであって、該透明カバーには複数の貫通孔を設け、該貫通孔を通して複数の止めネジにより携帯電話本体に固定するように構成したことを特徴とする。【０００９】  本考案の請求項４記載の携帯電話カバーは、携帯電話表面外形に沿った形状に構成し、絵・模様・写真等の画像を表面に表示したシートと、該シート上面に配置し該シートを保護する透明カバーと、該シート及び該透明カバーを一体に携帯電話に固定する固定手段とを有する携帯電話着せ替えカバーであって、該シートは表面に形成したレンティキュラーレンズと裏面に印刷した画像とからなることを特徴とする。【００１０】  本考案の請求項５記載の携帯電話カバーは、携帯電話表面外形に沿った形状に構成し、絵・模様・写真等の画像を表面に表示したシートと、該シート上面に配置し該シートを保護する透明カバーと、該シート及び該透明カバーを一体に携帯電話に固定する固定手段とを有する携帯電話着せ替えカバーであって、該シートは表面に形成したレンティキュラーレンズと裏面に印刷した複数の画像とからなり、該透明カバーには複数の貫通孔を設け、該貫通孔を通して複数の止めネジにより携帯電話本体に固定するように構成したことを特徴とする。
【考案の効果】
【００１１】  本考案の請求項１記載の携帯電話カバーによれば、画像を表面に表示したシートとこのシートを保護固定するための透明カバーが別々に形成されているため、シートを交換するだけで画像等のデザインを容易に変更することが可能となる。また、このシートの上に透明カバーを載せ、携帯電話本体に止めネジ等で固定することにより、使用者が簡便にシートを交換し、携帯電話表面のデザインを変更することが可能となる。【００１２】  本考案の請求項２記載の携帯電話カバーでは、前記シートに絵・模様・写真等を印刷することにより、市販のデザインばかりか、使用者が自分で作成したデザインを用いることも容易となる。【００１３】  本考案の請求項３記載の携帯電話カバーでは、携帯電話本体への透明カバーの固定を複数の止めネジにより行うことによって、使用者がデザイン変更のために透明カバーを着脱することが極めて容易となる。【００１４】  本考案の請求項４記載の携帯電話カバーによれば、画像を表示するシートの表面にレンティキュラーレンズを形成し、裏面に複数の画像を印刷することによって、使用者が見る角度によって異なった画像を認識することが可能となる。【００１５】  本考案の請求項５記載の携帯電話カバーによれば、見る角度により異なった画像を視認できるシートを止めネジにより容易に携帯電話本体に着脱することができる。
【考案を実施するための最良の形態】
【実施例】
【００１６】  以下、図面に基づいて本考案の好適な実施例を説明するが、本考案はそれらに限定されるものではない。【００１７】  図１は本考案の携帯電話着せ替えカバーの実施例を示す構成図である。本考案によるカバーは、画像を表示したシート３、透明カバー２、及び止めネジ４からなっており、図には示してないが、透明カバー２には、四隅に貫通孔を設ける。携帯電話本体１は折りたたみ型であり、折りたたんだ際の表面上四隅に、透明カバー貫通孔と対応する雌ネジ穴を設ける。図１（ｄ）は本考案によるカバーを装着した場合のイメージを示す断面図である。携帯電話本体１表面に画像シート３が載せられ、更にその上に透明カバー２を置いて、止めネジ４により携帯電話本体１に固着する。【００１８】  図２は、本考案による携帯電話カバーの別の実施例を示す。図２（ａ）は、この実施例に使用する画像シートの構造を示す断面図である。画像シート表面には、断面三角形の突起３１が列状に形成されており（例えば１インチ幅に４０列＝４０ＬＰＩ）、これをレンティキュラーレンズと称する。シート３の裏面には、この突起３１列に対応して、２種類の画像を交互に印刷してある。したがって、シートの突起３１側上部より見ると、角度によって、２種類の異なった画像が視認できることになる。図３は、上記画像の形成方法の説明図である。２種類の画像Ａ及びＢを、一度細片状に分割し、それを１枚のシート上に交互になるよう合成する。このピッチは、レンティキュラーレンズのピッチに対応させる。
【産業上の利用可能性】
【００１９】  本考案によれば、折りたたみ型携帯電話の表面デザインを容易に変更することができ、携帯電話本体を交換することなく表面デザインを変更できるので、携帯電話使用者のニーズの多様性に対応できる。
【図面の簡単な説明】
【００２０】
【図１】本考案の携帯電話着せ替えカバーの実施例を示す構成図である。
【図２】本考案による携帯電話カバーの別の実施例における、レンティキュラーレンズの原理を示す説明図である。
【図３】図２に示す本考案の携帯電話カバーの実施例に用いる画像シートの画像構成を示す説明図である。
【符号の説明】
【００２１】１      携帯電話本体
２      透明カバー
３      画像シート
３１    突起
【図１】
0003127674.tif 000003
【図２】
0003127674.tif 000004
【図３】
0003127674.tif 000005